(57)【要約】【課題】露光装置，現像器，定着器などからの熱を効率良く機外に排出し、用紙に定着する前のトナーの溶融，露光装置のレンズやミラーの熱膨張による画像ひずみ，装置の熱暴走などが無い小型で高速の画像形成装置を提供する。【解決手段】感光体２と、露光装置５と、現像器６１〜６４と、感光体２の表面と接触し表面に画像を転写される中間転写体３と、中間転写体３の表面と接触して記録媒体１６に転写された画像を定着させる定着器１４とを備える画像形成装置で、現像器６が露光装置５の上側に配置され、露光装置５を冷却し露光装置５から現像器６への熱を遮断する空気を左右方向に通過させる空気流路を現像器５と露光装置６の間に形成し、画像形成装置１のフロントパネル４０裏面を上昇し露光装置５および現像器６の上部をほぼ水平に後方に進み露光装置５および現像器６の上方に滞留した熱を排出する空気を通過させる空気流路を形成した。【選択図】        図１
2004361792.tif 000002
【特許請求の範囲】
【請求項１】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記露光装置を冷却し前記露光装置から前記現像器への熱を遮断する空気を左右方向に通過させる空気流路Ａを前記現像器と前記露光装置の間に配置した
ことを特徴とする画像形成装置。
【請求項２】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記現像器が、前記露光装置の上側に配置され、
前記露光装置を冷却し前記露光装置から前記現像器への熱を遮断する空気を左右方向に通過させる空気流路Ａを前記現像器と前記露光装置の間に形成した
ことを特徴とする画像形成装置。
【請求項３】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記画像形成装置のフロントパネル裏面を上昇し前記露光装置および現像器の上部をほぼ水平に後方に進み前記露光装置および現像器の上方に滞留した熱を排出する空気を通過させる空気流路Ｂを形成した
ことを特徴とする画像形成装置。
【請求項４】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記現像器が、前記露光装置の上側に配置され、
前記画像形成装置のフロントパネル裏面を上昇し前記露光装置および現像器の上部をほぼ水平に後方に進み前記露光装置および現像器の上方に滞留した熱を排出する空気を通過させる空気流路Ｂを形成した
ことを特徴とする画像形成装置。
【請求項５】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記露光装置を冷却し前記露光装置から前記現像器への熱を遮断する空気を左右方向に通過させる空気流路Ａを前記現像器と前記露光装置の間に形成し、
前記画像形成装置のフロントパネル裏面を上昇し前記露光装置および現像器の上部をほぼ水平に後方に進み前記露光装置および現像器の上方に滞留した熱を排出する空気を通過させる空気流路Ｂを形成した
ことを特徴とする画像形成装置。
【請求項６】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記現像器が、前記露光装置の上側に配置され、
前記露光装置を冷却し前記露光装置から前記現像器への熱を遮断する空気を左右方向に通過させる空気流路Ａを前記現像器と前記露光装置の間に形成し、
前記画像形成装置のフロントパネル裏面を上昇し前記露光装置および現像器の上部をほぼ水平に後方に進み前記露光装置および現像器の上方に滞留した熱を排出する空気を通過させる空気流路Ｂを形成した
ことを特徴とする画像形成装置。
【請求項７】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記露光装置を冷却し前記露光装置から前記現像器への熱を遮断する空気を左右方向に通過させる空気流路Ａを前記現像器と前記露光装置の間に形成し、
前記定着器と前記中間転写体の間で定着器の下方から上方に向かい更に前記空気流路Ａとは反対側に向かいドライブユニット，電源ユニット，定着器で暖められた空気を排出する空気流路Ｃを形成した
ことを特徴とする画像形成装置。
【請求項８】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記現像器が、前記露光装置の上側に配置され、
前記露光装置を冷却し前記露光装置から前記現像器への熱を遮断する空気を左右方向に通過させる空気流路Ａを前記現像器と前記露光装置の間に形成し、
前記定着器と前記中間転写体の間で定着器の下方から上方に向かい更に前記空気流路Ａとは反対側に向かいドライブユニット，電源ユニット，定着器で暖められた空気を排出する空気流路Ｃを形成した
ことを特徴とする画像形成装置。
【請求項９】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記画像形成装置のフロントパネル裏面を上昇し前記露光装置および現像器の上部をほぼ水平に後方に進み前記露光装置および現像器の上方に滞留した熱を排出する空気を通過させる空気流路Ｂを形成し、
前記定着器と前記中間転写体の間で定着器の下方から上方に向かい更に前記空気流路Ａとは反対側に向かいドライブユニット，電源ユニット，定着器で暖められた空気を排出する空気流路Ｃを形成した
ことを特徴とする画像形成装置。
【請求項１０】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記現像器が、前記露光装置の上側に配置され、
前記画像形成装置のフロントパネル裏面を上昇し前記露光装置および現像器の上部をほぼ水平に後方に進み前記露光装置および現像器の上方に滞留した熱を排出する空気を通過させる空気流路Ｂを形成し、
前記定着器と前記中間転写体の間で定着器の下方から上方に向かい更に前記空気流路Ａとは反対側に向かいドライブユニット，電源ユニット，定着器で暖められた空気を排出する空気流路Ｃを形成した
ことを特徴とする画像形成装置。
【請求項１１】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記露光装置を冷却し前記露光装置から前記現像器への熱を遮断する空気を左右方向に通過させる空気流路Ａを前記現像器と前記露光装置の間に形成し、
前記画像形成装置のフロントパネル裏面を上昇し前記露光装置および現像器の上部をほぼ水平に後方に進み前記露光装置および現像器の上方に滞留した熱を排出する空気を通過させる空気流路Ｂを形成し、
前記定着器と前記中間転写体の間で定着器の下方から上方に向かい更に前記空気流路Ａとは反対側に向かいドライブユニット，電源ユニット，定着器で暖められた空気を排出する空気流路Ｃを形成した
ことを特徴とする画像形成装置。
【請求項１２】
表面に画像が形成される感光体と、前記表面を露光し静電潜像を形成する露光装置と、前記静電潜像を現像する少なくとも１色の現像器と、前記感光体の表面と接触し表面に前記画像を転写される中間転写体と、前記中間転写体の表面と接触して記録媒体に転写された前記画像を定着させる定着器とを備える画像形成装置において、
前記現像器が、前記露光装置の上側に配置され、
前記露光装置を冷却し前記露光装置から前記現像器への熱を遮断する空気を左右方向に通過させる空気流路Ａを前記現像器と前記露光装置の間に形成し、
前記画像形成装置のフロントパネル裏面を上昇し前記露光装置および現像器の上部をほぼ水平に後方に進み前記露光装置および現像器の上方に滞留した熱を排出する空気を通過させる空気流路Ｂを形成し、
前記定着器と前記中間転写体の間で定着器の下方から上方に向かい更に前記空気流路Ａとは反対側に向かいドライブユニット，電源ユニット，定着器で暖められた空気を排出する空気流路Ｃを形成した
ことを特徴とする画像形成装置。
【請求項１３】
請求項１，２，５，６，７，８，１１，１２のいずれか一項に記載の画像形成装置において、
前記空気流路Ａが、前記露光装置の上側を通る上ダクトと、前記露光装置の上側を通る下ダクトとからなる
ことを特徴とする画像形成装置。
【請求項１４】
請求項１３に記載の画像形成装置において、
前記上ダクトおよび下ダクトが、前記露光装置を通過した位置で合流し排気ダクトになる
ことを特徴とする画像形成装置。
【請求項１５】
請求項１４に記載の画像形成装置において、
前記上ダクトおよび下ダクトの合流点付近に前記量ダクト内の空気流量の比率を調整する弁を設けた
ことを特徴とする画像形成装置。
【請求項１６】
請求項１３ないし１５のいずれか一項に記載の画像形成装置において、
前記露光装置が、内部から前記下ダクトに突出し前記露光装置で発生した熱を排出する金属板を備えた
ことを特徴とする画像形成装置。
【請求項１７】
請求項３，４，５，６，９，１０，１１，１２のいずれかに記載の画像形成装置において、
前記空気流路Ｂが前記定着器の上方で前記空気流路Ｃに合流し、共通の排気手段を備えた
ことを特徴とする画像形成装置。
【請求項１８】
請求項３，４，５，６，９，１０，１１，１２，１７のいずれかに記載の画像形成装置において、
前記中間転写体の表面に残留するトナーを除去するクリーナと、前記クリーナから飛散したトナーなどの塵埃を前記空気流路Ｂおよび空気流路Ｃから遮蔽するクリーナカバーとを備えた
ことを特徴とする画像形成装置。
【請求項１９】
請求項３，４，５，６，９，１０，１１，１２，１７，１８のいずれかに記載の画像形成装置において、
前記空気流路Ｂの前記露光装置を過ぎた位置で、前記画像形成装置のフロントパネル裏面を上昇する空気を前記現像器方向に拡散させる開口を形成した
ことを特徴とする画像形成装置。
【請求項２０】
請求項３，４，５，６，９，１０，１１，１２，１７，１８，１９のいずれかに記載の画像形成装置において、
前記定着器の長手方向で前記排気手段からの距離が遠いほど、前記空気流路Ｂの開口面積を大きくした
ことを特徴とする画像形成装置。
【請求項２１】
請求項３，４，５，６，９，１０，１１，１２，１７，１８，１９，２０のいずれか一項に記載の画像形成装置において、
前記定着器を通過した記録媒体を積層する排紙トレイを上部に備え、
前記排紙トレイの下部に前記空気流路Ｂを配置し、前記排紙トレイと前記画像形成装置内部とを断熱する
ことを特徴とする画像形成装置。
【発明の詳細な説明】
【０００１】
【発明の属する技術分野】
本発明は、電子写真プロセスを利用した画像形成装置に係り、特に、露光装置から発生する熱と現像器上部に滞留する熱とを安定して画像形成装置外に排出する手段に関する。
【０００２】
【従来の技術】
コンピュータなどからの画像情報に基づいてカラー画像を記録する画像形成装置のうちで、電子写真方式によるカラー画像形成装置は、感光体上にイエロー，マゼンタ，シアン，黒のトナー画像を形成し、形成されたこれらのトナー画像を用紙上または中間転写体上に重ね合わせて合成してカラー画像を形成し、トナー像を用紙に転写し、用紙に転写されたトナー像を加熱し定着している。
【０００３】
電子写真方式によるカラー画像形成装置は、インクジェット方式などと比較して、高画質のカラー画像を高速記録できる。
【０００４】
従来の小型モノクロレーザプリンタにおいては、定着器の熱を外部に排出する空気流路は、駆動制御ユニット，電源ユニット，定着ユニットを通る比較的単純な１本の流路で十分であった（例えば、特許文献１参照）。
【０００５】
小型モノクロレーザプリンタ本体内の定着器などの熱が、本体の上方に配置された光学ユニットに伝わり、悪影響を及ぼすことを防止するために、光学ユニットと本体との間に断熱空間または断熱材を配置する構造も提案されている（例えば、特許文献２参照）。
【０００６】
【特許文献１】
特開平６−２３０６１７号公報
（第３〜５頁  図２，図４，図５）
【特許文献２】
特開平５−０８８５１５号公報
（第２〜３頁  図１〜図４）
【０００７】
【発明が解決しようとする課題】
近年、この画像形成装置の印刷速度のより一層の高速化と装置の小型化への要請が高まっている。
【０００８】
電子写真プロセスを利用した画像形成装置の露光装置では、コンピュータなどから送られるプリント信号に基づいて、例えばレーザ光源から光を発射する。そのレーザ光をポリゴンミラーなどの回転多面鏡で反射し、ｆθレンズを通し、更にミラーで反射し、感光体に照射し、感光体上に静電潜像を形成していた。
【０００９】
このような露光装置を用いる画像形成装置の印刷速度を高速化する手段として、ポリゴンミラーを回転させるスキャナモータの回転数を上げる方法と、ポリゴンミラーの面数を増やして、感光体に画像を書き込む速度を上げる方法とがある。
【００１０】
しかし、スキャナモータの回転数を上げると、スキャナモータの発熱量が増加する。ポリゴンミラーの面数を増やす方法を用いても、例えば、面数を増やすためにポリゴンミラーの外径および内径を大きくした場合は、質量の増加や遠心力の増加により、スキャナモータを回すための負荷が大きくなり、スキャナモータの発熱量が増加する。
【００１１】
その結果、スキャナモータ自体が熱暴走を起こしたり、スキャナモータの周囲の温度を上昇させ、やがて装置内の温度を上昇させてしまう。
【００１２】
画像形成装置を小型化すると、定着器や露光装置などの発熱源と、現像器や感光体ベルトなどとの距離が短くなり、発熱源の熱が、その周囲やその他の部分の温度を上昇させてしまうという問題があった。
【００１３】
また、感光体上にイエロー，マゼンタ，シアン，黒のトナー画像を形成するカラー画像形成装置においては、上記小型モノクロレーザプリンタのように本体の上方に露光装置の光学ユニットを配置できるとは限らない。
【００１４】
露光装置の光学ユニットを本体下部に配置せざるを得ないカラー画像形成装置においては、定着器，駆動制御ユニット，電源ユニットなどから発生する熱のみならず、光学ユニットが発生する熱も問題となる。
【００１５】
特に、現像器の温度がトナーの軟化点近傍まで上昇すると、現像器内のトナーが溶融し始め、装置内の温度が更に上昇すると、画像形成に寄与せず排出されるべき廃トナーまでもが溶融し始めてしまう。
【００１６】
その結果、現像ローラにトナーが溶着するフィルミングや、トナー搬送負荷の増加によるモータなどの駆動部のロックなどの不具合が発生する。
【００１７】
電子写真方式の画像形成装置は、高速化，小型化するほど熱の問題が顕著に発生し、小型高速化を実現するには、発熱源から発生して装置内に滞留する熱を効率良く機外に排出し、装置内の温度を低下させることが重要である。
【００１８】
図１５は、従来の画像形成装置の内部構造を示す右側面図である。
【００１９】
カラーレーザプリンタ本体１は、矢印方向に一定速度で回転する感光体ベルト２と、感光体ベルト２表面を一様に帯電させる帯電器４と、一様に帯電された感光体ベルト２表面を露光しこの表面に静電潜像を形成する露光装置５と、露光装置５の上部に位置し感光体ベルト２の静電潜像を現像してトナー像を形成する４つの現像器６１，６２，６３，６４と、感光体ベルト２と接触配置され感光体ベルト２上に形成されたトナー像を表面に転写保持する中間転写体３と、紙などの記録媒体１６を収納する給紙カセット１０と、給紙カセット１０から用紙を給紙する給紙ローラ１１と、給紙カセット１０から供給された用紙の姿勢を矯正するレジストローラ１２と、トナー像を用紙に転写する転写ローラ１３と、用紙に転写されたトナー像を定着する定着器１４と、定着された用紙を機外に案内する排紙ガイド１７と、トナー像転写後に感光体ベルト２表面に残留するトナーを除去するブレード８と、トナー像転写後に感光体ベルト２表面に残留する電荷を除去するイレーズランプ９と、中間転写体３表面に残留するトナーを除去するクリーナ７と、定着器１４上部に滞留する熱を機外に排出する排気ファン１８と、印字された後に機外に排出された用紙を積層する排紙トレイ５１０とを備えている。
【００２０】
カラーレーザプリンタ本体１に、図示しないコンピュータなどからプリント信号が送られてくると、露光装置５は、帯電器４によって一様に帯電された感光体ベルト２上にレーザ光を照射し、静電潜像を形成する。
【００２１】
露光装置５が、感光体ベルト２上にブラック色のトナー像に対応する静電潜像を形成すると、ブラック現像器６４は、ブラックトナー像を現像する。シアン現像器６１，マゼンタ現像器６２，イエロー現像器６３も、ブラック現像器６４と同様に動作する。これら現像器６１，６２，６３，６４は、バイアス電圧を制御すると、現像機能が付与されまたは停止される。
【００２２】
感光体ベルト２上に形成されたトナー像は、中間転写体３との接触部で中間転写体３表面に転写保持される。
【００２３】
トナー像転写後の感光体ベルト２上には転写されず、残留したトナーはブレード８により除去される。また、感光体ベルト２表面に残留する電荷はイレーズランプ９により除去される。
【００２４】
感光体ベルト２表面を初期状態に戻すこれらの行程が終了した後、次色であるシアン色のトナー像を同様に感光体ベルト２表面に形成し、中間転写体３上に転写保持する。
【００２５】
同様の行程をマゼンタ，イエロー色についても繰り返し、中間転写体３上で４色のトナー像を重ね合わせて保持する。
【００２６】
中間転写体３の表面上に形成した４色のトナー像を用紙１６に転写するため、給紙ローラ１１を回転させて給紙カセット１０に収納された用紙１６を１枚ずつに分離し、レジストローラ１２まで搬送して用紙１６の斜行を矯正した後、停止させる。
【００２７】
次いで、中間転写体３上のトナー像と整合するようなタイミングでレジストローラ１２の回転を始動する。
【００２８】
搬送される用紙１６の先端が中間転写体３と接触する状態になるタイミングで転写ローラ１３を用紙１６背面から押し付け、中間転写体３表面上のトナー像を用紙１６上に静電転写する。
【００２９】
トナー像が転写された用紙１６は、定着器１４の加熱ローラと加圧ローラとの間を通過する時に用紙１６上に定着され、排紙ガイド１７に案内されてプリンタ１上にスタックされる。
【００３０】
このとき、定着器１４で暖められた空気が定着器１４上部に滞留するのを防止するため、暖められた空気を排気ファン１８により機外に排出する。
【００３１】
図１６は、従来の画像形成装置の空気流路を示す平面図である。
【００３２】
ドライブユニット１９，電源ユニット２０，定着器１４で暖められた空気を排出するために、カラーレーザプリンタ本体１の後面上部に、排気ファン１８を備えている。排気ファン１８は、定着器１４の上部に滞留した熱は、機外に排出する。
【００３３】
しかし、現像器６１，６２，６３，６４や露光装置５から発生した熱は、機外に排出されずに、現像器６４の上部に滞留する。プリンタの印字速度が高速化するに伴って、現像器６１，６２，６３，６４や露光装置５の発熱量が大きくなり、現像器周りの温度も上昇する。
【００３４】
温度がトナーの軟化点以上になると、現像器６１，６２，６３，６４の内部で、トナーが溶融してしまう。その結果、現像時にトナーが感光体ベルト２に正しく付着せず、感光体ベルト２上の静電潜像を正確に現像できなくなってしまう。
【００３５】
図１７は、従来の露光装置の内部構造を示す斜視図である。
【００３６】
光学系コンテナ５０は、レーザダイオードなどの光源５１と、レーザビーム走査用ポリゴンミラー５２と、ポリゴンミラー５２を回転させるスキャナモータ５３と、スキャナモータ５３を駆動するスキャナ基板５４と、スキャナモータ５３の回転を制御するモータ制御ＩＣ５５と、スキャナ基板５４と接触しスキャナモータ５３やモータ制御ＩＣ５５から発生する熱を露光装置５の外に放熱する放熱フィン５６と、ｆθレンズ５７と、ミラー５８とを収納しており、通常は上ふた５９で覆われている。
【００３７】
光学系コンテナ５０，ｆθレンズ５７，ミラー５８などは、軽量化や低コスト化のために、プラスチック素材を多く使用するようになってきている。したがって、スキャナモータ５３やモータ制御ＩＣ５５の発熱量が増加すると、光学系コンテナ５０，ｆθレンズ５７，ミラー５８が熱膨張して変形し、画像ひずみを生ずる原因となる恐れがある。また、スキャナモータ５３自体が熱暴走を起こす危険性もある。
【００３８】
カラーレーザプリンタが小型になるにしたがって、内部のすき間は少なくなる。その結果、熱の逃げ道が少なくなって、プリンタ内に滞留しやすくなり、上記不具合を起こす恐れがある。
【００３９】
したがって、これらの問題を解決してカラーレーザプリンタを小型高速化するには、現像器６１，６２，６３，６４や露光装置５周囲の熱を排出して温度上昇を防止する必要がある。
【００４０】
本発明の目的は、露光装置，現像器，定着器などからの熱を効率良く機外に排出し、用紙に定着する前のトナーの溶融，露光装置のレンズやミラーの熱膨張による画像ひずみ，装置の熱暴走などが無い小型で高速の画像形成装置を提供することである。
【００４１】
【課題を解決するための手段】
本発明は、上記目的を達成するために、表面に画像が形成される感光体と、表面を露光し静電潜像を形成する露光装置と、静電潜像を現像する少なくとも１色の現像器と、感光体の表面と接触し表面に画像を転写される中間転写体と、中間転写体の表面と接触して記録媒体に転写された画像を定着させる定着器とを備える画像形成装置において、露光装置を冷却し露光装置から現像器への熱を遮断する空気を左右方向に通過させる空気流路Ａを現像器と露光装置の間に配置した画像形成装置を提案する。
【００４２】
本発明は、また、現像器が、露光装置の上側に配置され、露光装置を冷却し露光装置から現像器への熱を遮断する空気を左右方向に通過させる空気流路Ａを現像器と露光装置の間に形成した画像形成装置を提案する。
【００４３】
本発明は、さらに、画像形成装置のフロントパネル裏面を上昇し露光装置および現像器の上部をほぼ水平に後方に進み露光装置および現像器の上方に滞留した熱を排出する空気を通過させる空気流路Ｂを形成した画像形成装置を提案する。
【００４４】
本発明は、現像器が、露光装置の上側に配置され、画像形成装置のフロントパネル裏面を上昇し露光装置および現像器の上部をほぼ水平に後方に進み露光装置および現像器の上方に滞留した熱を排出する空気を通過させる空気流路Ｂを形成した画像形成装置を提案する。
【００４５】
本発明は、また、露光装置を冷却し露光装置から現像器への熱を遮断する空気を左右方向に通過させる空気流路Ａを現像器と露光装置の間に形成し、画像形成装置のフロントパネル裏面を上昇し露光装置および現像器の上部をほぼ水平に後方に進み露光装置および現像器の上方に滞留した熱を排出する空気を通過させる空気流路Ｂを形成した画像形成装置を提案する。
【００４６】
本発明は、さらに、現像器が、露光装置の上側に配置され、露光装置を冷却し露光装置から現像器への熱を遮断する空気を左右方向に通過させる空気流路Ａを現像器と露光装置の間に形成し、画像形成装置のフロントパネル裏面を上昇し露光装置および現像器の上部をほぼ水平に後方に進み露光装置および現像器の上方に滞留した熱を排出する空気を通過させる空気流路Ｂを形成した画像形成装置を提案する。
【００４７】
本発明は、露光装置を冷却し露光装置から現像器への熱を遮断する空気を左右方向に通過させる空気流路Ａを現像器と露光装置の間に形成し、定着器と中間転写体の間で定着器の下方から上方に向かい更に空気流路Ａとは反対側に向かいドライブユニット，電源ユニット，定着器で暖められた空気を排出する空気流路Ｃを形成した画像形成装置を提案する。
【００４８】
本発明は、また、現像器が、露光装置の上側に配置され、露光装置を冷却し露光装置から現像器への熱を遮断する空気を左右方向に通過させる空気流路Ａを現像器と露光装置の間に形成し、定着器と中間転写体の間で定着器の下方から上方に向かい更に空気流路Ａとは反対側に向かいドライブユニット，電源ユニット，定着器で暖められた空気を排出する空気流路Ｃを形成した画像形成装置を提案する。
【００４９】
本発明は、さらに、画像形成装置のフロントパネル裏面を上昇し露光装置および現像器の上部をほぼ水平に後方に進み露光装置および現像器の上方に滞留した熱を排出する空気を通過させる空気流路Ｂを形成し、定着器と中間転写体の間で定着器の下方から上方に向かい更に空気流路Ａとは反対側に向かいドライブユニット，電源ユニット，定着器で暖められた空気を排出する空気流路Ｃを形成した画像形成装置を提案する。
【００５０】
本発明は、現像器が、露光装置の上側に配置され、画像形成装置のフロントパネル裏面を上昇し露光装置および現像器の上部をほぼ水平に後方に進み露光装置および現像器の上方に滞留した熱を排出する空気を通過させる空気流路Ｂを形成し、定着器と中間転写体の間で定着器の下方から上方に向かい更に空気流路Ａとは反対側に向かいドライブユニット，電源ユニット，定着器で暖められた空気を排出する空気流路Ｃを形成した画像形成装置を提案する。
【００５１】
本発明は、また、露光装置を冷却し露光装置から現像器への熱を遮断する空気を左右方向に通過させる空気流路Ａを現像器と露光装置の間に形成し、画像形成装置のフロントパネル裏面を上昇し露光装置および現像器の上部をほぼ水平に後方に進み露光装置および現像器の上方に滞留した熱を排出する空気を通過させる空気流路Ｂを形成し、定着器と中間転写体の間で定着器の下方から上方に向かい更に空気流路Ａとは反対側に向かいドライブユニット，電源ユニット，定着器で暖められた空気を排出する空気流路Ｃを形成した画像形成装置を提案する。
【００５２】
本発明は、さらに、現像器が、露光装置の上側に配置され、露光装置を冷却し露光装置から現像器への熱を遮断する空気を左右方向に通過させる空気流路Ａを現像器と露光装置の間に形成し、画像形成装置のフロントパネル裏面を上昇し露光装置および現像器の上部をほぼ水平に後方に進み露光装置および現像器の上方に滞留した熱を排出する空気を通過させる空気流路Ｂを形成し、定着器と中間転写体の間で定着器の下方から上方に向かい更に空気流路Ａとは反対側に向かいドライブユニット，電源ユニット，定着器で暖められた空気を排出する空気流路Ｃを形成した画像形成装置を提案する。
【００５３】
空気流路Ａは、露光装置の上側を通る上ダクトと、露光装置の上側を通る下ダクトとから形成してもよい。
【００５４】
上ダクトおよび下ダクトは、露光装置を通過した位置で合流し排気ダクトにすることができる。
【００５５】
上ダクトおよび下ダクトの合流点付近に量ダクト内の空気流量の比率を調整する弁を設けると冷却の程度を変更できる。
【００５６】
露光装置が、内部から下ダクトに突出し露光装置で発生した熱を排出する金属板を備えてもよい。
【００５７】
空気流路Ｂが定着器の上方で空気流路Ｃに合流し、共通の排気手段を備えることも可能である。
【００５８】
中間転写体の表面に残留するトナーを除去するクリーナに対しては、クリーナから飛散したトナーなどの塵埃を空気流路Ｂおよび空気流路Ｃから遮蔽するクリーナカバーを備えることが望ましい。
【００５９】
空気流路Ｂの露光装置を過ぎた位置で、画像形成装置のフロントパネル裏面を上昇する空気を現像器方向に拡散させる開口を形成すると、現像器を冷却できる。
【００６０】
定着器の長手方向で排気手段からの距離が遠いほど、空気流路Ｂの開口面積を大きくすれば、より均一に冷却できる。
【００６１】
定着器を通過した記録媒体を積層する排紙トレイを上部に備える場合は、排紙トレイの下部に空気流路Ｂを配置し、排紙トレイと画像形成装置内部とを断熱する。
【００６２】
【発明の実施の形態】
次に、図１〜図１７を参照して、本発明による画像形成装置の実施形態を説明する。
【００６３】
【実施形態１】
図１は、本発明による画像形成装置の実施形態１の内部構造を示す右側面図である。
【００６４】
カラーレーザプリンタ本体１は、矢印方向に一定速度で回転する感光体ベルト２と、感光体ベルト２表面を一様に帯電させる帯電器４と、一様に帯電された感光体ベルト２表面を露光しこの表面に静電潜像を形成する露光装置５と、露光装置５の上部に位置し感光体ベルト２の静電潜像を現像してトナー像を形成する４つの現像器６１，６２，６３，６４と、感光体ベルト２と接触配置され感光体ベルト２上に形成されたトナー像を表面に転写保持する中間転写体３と、紙などの記録媒体１６を収納する給紙カセット１０と、給紙カセット１０から用紙を給紙する給紙ローラ１１と、給紙カセット１０から供給された用紙の姿勢を矯正するレジストローラ１２と、トナー像を用紙に転写する転写ローラ１３と、用紙に転写されたトナー像を定着する定着器１４と、定着された用紙を機外に案内する排紙ガイド１７と、トナー像転写後に感光体ベルト２表面に残留するトナーを除去するブレード８と、トナー像転写後に感光体ベルト２表面に残留する電荷を除去するイレーズランプ９と、中間転写体３表面に残留するトナーを除去するクリーナ７と、定着器１４上部に滞留する熱を機外に排出する排気ファン１８と、印字された後に機外に排出された用紙を積層する排紙トレイ５１０とを備えている。
【００６５】
実施形態１においては、図１５に示された従来の構成に加えて、露光装置５上部、すなわち、露光装置５と現像器６１との間に、上ダクト５０２を形成してある。また、光学系コンテナ５０は、スキャナ基板５４を設置している部分の下面が底上げされ、空間を確保してある。この空間には、露光装置５の光学系コンテナ５０と光学系コンテナ５０を設置するフレーム２１Ｃとにより、下ダクト５０１を形成してある。
【００６６】
図２は、実施形態１の内部構造を示す正面図である。
【００６７】
現像器６１，６２，６３，６４の下に露光装置５０が配置されている。吸気口５０８から吸い込まれた気流は、上ダクト５０２および下ダクト５０１を通り、排気ダクト５０３で合流し、排気ファン５０５により、排気口５０６から機外に排出される。上ダクト５０２，下ダクト５０１，排気ダクト５０３は、空気流路Ａを構成している。
【００６８】
一方、軸４００周りに開閉するフロントパネル４０には、図７を参照して後述するように、縦方向の気流を生ずる吸気ダクト４０１を形成してある。感光体ベルトカバー４１，クリーナカバー４２，後部ダクト４３は、吸気ダクト４０１から導入された縦方向の気流を排気ファン１８に導く水平方向の空気流路の一部を規定する。吸気ダクト４０１，感光体ベルトカバー４１，クリーナカバー４２，後部ダクト４３は、空気流路Ｂを構成している。
【００６９】
感光体ベルトカバー４１は、感光体ベルト２を保護する。クリーナカバー４２は、クリーナ７により感光体ベルト２から除去されたトナーなどの塵埃が飛散するのを防ぐ第１の塵埃遮断手段である。後部ダクト４３は、中間転写体３上部および定着器１４下部に別の空気流路も併せて形成し、中間転写体３の表面から飛散したトナーなどの塵埃が他に飛散するのを防ぐ第２の塵埃遮断手段である。
【００７０】
カラーレーザプリンタ本体１に、図示しないコンピュータなどからプリント信号が送られてくると、露光装置５は、帯電器４によって一様に帯電された感光体ベルト２上にレーザ光を照射し、静電潜像を形成する。
【００７１】
露光装置５が、感光体ベルト２上にブラック色のトナー像に対応する静電潜像を形成すると、ブラック現像器６４は、ブラックトナー像を現像する。シアン現像器６１，マゼンタ現像器６２，イエロー現像器６３も、ブラック現像器６４と同様に動作する。これら現像器６１，６２，６３，６４は、バイアス電圧を制御すると、現像機能が付与されまたは停止される。
【００７２】
感光体ベルト２上に形成されたトナー像は、中間転写体３との接触部で中間転写体３表面に転写保持される。
【００７３】
トナー像転写後の感光体ベルト２上には転写されず、残留したトナーはブレード８により除去される。また、感光体ベルト２表面に残留する電荷はイレーズランプ９により除去される。
【００７４】
感光体ベルト２表面を初期状態に戻すこれらの行程が終了した後、次色であるシアン色のトナー像を同様に感光体ベルト２表面に形成し、中間転写体３上に転写保持する。
【００７５】
同様の行程をマゼンタ，イエロー色についても繰り返し、中間転写体３上で４色のトナー像を重ね合わせて保持する。
【００７６】
中間転写体３の表面上に形成した４色のトナー像を用紙１６に転写するため、給紙ローラ１１を回転させて給紙カセット１０に収納された用紙１６を１枚ずつに分離し、レジストローラ１２まで搬送して用紙１６の斜行を矯正した後、停止させる。
【００７７】
次いで、中間転写体３上のトナー像と整合するようなタイミングでレジストローラ１２の回転を始動する。
【００７８】
搬送される用紙１６の先端が中間転写体３と接触する状態になるタイミングで転写ローラ１３を用紙１６背面から押し付け、中間転写体３表面上のトナー像を用紙１６上に静電転写する。
【００７９】
トナー像が転写された用紙１６は、定着器１４の加熱ローラと加圧ローラとの間を通過する時に用紙１６上に定着され、排紙ガイド１７に案内されてプリンタ１上にスタックされる。
【００８０】
図３は、本発明による画像形成装置の実施形態１内の空気流路を示す平面図である。
【００８１】
気流１は、空気流路Ａ、すなわち、上ダクト５０２，下ダクト５０１，排気ダクト５０３内を流れる気流である。気流１は、機外の空気が吸気口５０８から流入し、現像器６４の下方、すなわち図２の上ダクト５０２または下ダクト５０１を通り、排気ダクト５０３で合流し、排気ファン５０５により排気口５０６から機外に排出される。
【００８２】
気流２は、空気流路Ｂ、すなわち、吸気ダクト４０１，感光体ベルトカバー４１，クリーナカバー４２，後部ダクト４３を通り、現像器６４の上面や定着器１４の上部を流れる気流である。
【００８３】
気流２は、図１に示すように、機外の空気が、フロントパネル４０内に形成された吸気ダクト４０１の下側の開口から、現像器６４の上方に流入する。この空気は、装置内部で温められた空気が、自然対流により装置内を上昇する時の気流と、排気ファン１８による気流によって流入させられる。
【００８４】
流入した空気は、現像器６１，６２，６３，６４および現像装置５および図示していない周辺装置から発生して、自然対流または熱伝導により現像器６４上部に上昇して滞留した熱とともに、感光体ベルトカバー４１上部のダクト４１１を通過する。
【００８５】
ダクト４１１を通過した空気は、現像器６１，６２，６３，６４と感光体ベルト２との接触部での摩擦や感光体ベルト２の回転や、図示していない周辺装置により発生し自然対流または熱伝導により感光体ベルトカバー４１に上昇して滞留した熱とともに、クリーナカバー４２のダクト４２１を通過して、定着器１４の上部を長手方向に流れ、排気ファン１８によって機外に排出される。
【００８６】
中間転写体３および定着器１４および図示していない周辺装置から発生した熱によって暖められた空気は、後部ダクト４３を通って定着器１４の上部を長手方向に流れ、排気ファン１８によって機外に排出される。
【００８７】
気流１と気流２とは、画像形成装置内では、全く別の流れになっており、互いに干渉しない。その流れの方向も現像器６１，６２，６３，６４および露光装置５の近くで直交しており、各気流の吸気口と排気口も別にしてある。
【００８８】
これらの対策により、現像器６１，６２，６３，６４の周囲に滞留した熱や定着器１４から発生した熱と、露光装置５の周囲の熱とを分け、別々に排出するので、画像形成装置内の温度上昇を抑えつつ、画像形成装置内に滞留した熱を効率良く排出できる。
【００８９】
気流１の排気口５０６と気流２の吸気口とを離し、気流２の排気口と気流１の吸気口５０８とを離しておき、機外に排出した熱を再び機内に入れないようにして、機内の温度上昇を抑えている。
【００９０】
図１に示すように、実施形態１の感光体ベルトカバー４１，クリーナカバー４２，後部ダクト４３は、空気流路Ｂを形成するとともに、感光体ベルト２，クリーナ７，中間転写体３から飛散するトナーが、画像形成装置内部に飛散したり、空気流路Ｂに侵入し機外に排出されたりすることを防ぐ効果も持っている。
【００９１】
実施形態１によれば、トナーが現像器６１，６２，６３，６４の内部や感光体ベルト２や中間転写体３上で溶融してしまったり、熱により感光体ベルト２，中間転写体３，その周辺装置が変形したりする不具合の発生を抑制し、それらの不具合が原因で発生する障害も抑えられる。
【００９２】
実施形態１の画像形成装置は、空気流路Ａにより、露光装置５の周囲から機外に安定した気流１を形成できるので、露光装置５自身およびその周囲の温度上昇が抑制され、トナーが現像器６１，６２，６３，６４の内部で溶融してしまうことによる現像ミスや、露光装置５本体やｆθレンズ５７やミラー５８が熱膨張して変形してしまうことによる露光ミスなどの不具合の発生を抑えられる。
【００９３】
実施形態１の画像形成装置は、空気流路Ｂにより、現像器６１，６２，６３，６４から定着器１４まで安定した気流２を形成できるので、定着器１４から発生した熱が現像器６１，６２，６３，６４を含む装置内側に流入することなく、定着器１４上部の熱を軸方向に機外に排出し、定着器１４上部の温度上昇を抑制できる。
【００９４】
その結果、現像器６１，６２，６３，６４内部でのトナー溶融による現像ミス、露光装置５本体やｆθレンズ５７やミラー５８の熱膨張による露光ミス、定着器１４の蓄熱による排出された用紙同士の接着などの不具合の発生を抑えられる。
【００９５】
本発明は、排紙トレイ５１０と画像形成装置内部との間にダクトを設けてあるので、排紙トレイ５１０に積層した用紙からの熱が排紙トレイ５１０を通して装置内に伝達することを防ぐ断熱効果も得られる。
【００９６】
なお、実施形態１においては、図１６に示した従来の空気流路に対応して、ドライブユニット１９，電源ユニット２０，定着器１４で暖められた空気を排出するために、定着器の下方から上方に向かい更に前記空気流路Ａとは反対側に向かう空気流路Ｃを形成し、カラーレーザプリンタ本体１の後部左側面に排気ファン１８を備えている。排気ファン１８は、ドライブユニット１９，電源ユニット２０，定着器１４で発生し定着器１４の上部に滞留した熱を機外に排出する。
【００９７】
図４は、実施形態１における露光装置の内部構造を示す斜視図である。
【００９８】
光学系コンテナ５０は、レーザダイオードなどの光源５１と、レーザビーム走査用ポリゴンミラー５２と、ポリゴンミラー５２を回転させるスキャナモータ５３と、スキャナモータ５３を駆動するスキャナ基板５４と、スキャナモータ５３の回転を制御するモータ制御ＩＣ５５と、スキャナ基板５４と接触しスキャナモータ５３やモータ制御ＩＣ５５から発生する熱を露光装置５の外に放熱する放熱フィン５６と、ｆθレンズ５７と、ミラー５８とを収納しており、通常は上ふた５９で覆われている。
【００９９】
実施形態１の光学系コンテナ５０は、図１７の従来例と比較して、スキャナ基板５４を設置している部分の下面が底上げされている。この空間は、光学系コンテナ５０と光学系コンテナ５０を設置するフレーム２１Ｃによって、下ダクト５０１を形成する。
【０１００】
上ダクト５０２は、上ふた５９の上を覆っている。排気ダクト５０３は、上ダクト５０２および下ダクト５０１からの気流を機外に導く。
【０１０１】
排気ダクト５０３内にある弁５０４は、上ダクト５０２および下ダクト５０１からの気流の流量を調整する。この弁５０４の取り付け位置またはその形状を変えて、上ダクト５０２から排気ダクト５０３への流量と下ダクト５０１から排気ダクト５０３への流量との割合を調整する。
【０１０２】
上ダクト５０２は、上ふた５９と接触する面が開口しており、上ダクト５０２と上ふた５９とにより、空気流路が形成される。
【０１０３】
空気がもれないように、上ダクト５０２と上ふた５９との接続部，上ダクト５０２および下ダクト５０１と排気ダクト５０３との接続部，排気ダクト５０３と排気口５０６との接続部をスポンジなどでシールする。
【０１０４】
排気ファン５０５は、機外から吸気口５０８を通って流入してきた空気を、上ダクト５０２および下ダクト５０１から排気ダクト５０３を経由して、排気口５０６まで流す。
【０１０５】
この気流は、露光装置５から発生した熱を機外に排出し、露光装置５およびその周囲を冷却する。
【０１０６】
放熱フィン５６の一端が下ダクト５０１内に突き出ているので、下ダクト５０１内の気流により放熱フィン５６を冷却すると、スキャナ基板５４やスキャナモータ５３など露光装置５内の部品を冷却することになる。
【０１０７】
本実施形態１により、露光装置５およびその周囲の熱を効率的に機外に排出すると、トナーが現像器６１，６２，６３，６４の内部で溶融してしまったり、露光装置５本体やｆθレンズ５７やミラー５８が熱膨張して変形してしまうという不具合を抑制できる。
【０１０８】
上ダクト５０２内を流れる気流により、露光装置５と現像器６１との間に断熱層を形成すると、現像器６１を露光装置５の熱から遮断できる。
【０１０９】
上ダクト５０２は、上ふた５９と接触する面に開口部がなく、上ダクト５０２の一面と上ふた５９とが密着した構造であってもよい。ただし、この場合、密着する上ふた５９側の面および上ダクト５０２側の面は、熱を通しやすいように、薄肉であることが望ましい。
【０１１０】
上ダクト５０２と上ふた５９とは、一体に成形することができる。
【０１１１】
さらに、上ふた５９と光学系コンテナ５０とは、一体であってもよい。
【０１１２】
図５は、実施形態１におけるフロントパネルの構造を示す斜視図である。
【０１１３】
吸気ダクト４０１は、フロントパネル４０内に形成された吸気ダクトである。
【０１１４】
図６は、実施形態１における感光体ベルトカバーの構造を示す斜視図である。
【０１１５】
感光体ベルトカバー４１上部にある取っ手４１２には、ダクト４１１が開けられている。取っ手４１２は、感光体ベルト２を装置内から取り出す時に掴む部分である。
【０１１６】
図７は、実施形態１におけるクリーナカバーの構造を示す斜視図である。
【０１１７】
クリーナカバー４２の上段には、ダクト４２１が開けられている。ダクト４２１は、排気ファン１８が付いている側の反対側の開口部を大きくしてある。このようにすると、ダクト４２１を通過した気流が、定着器１４の上部を長手方向に流れるようになる。
【０１１８】
図８は、実施形態１における後部ダクトの構造を示す斜視図である。
【０１１９】
後部ダクト４３は、吸気ダクト４０１から導入された縦方向の気流を排気ファン１８に導く水平方向の空気流路の一部を規定する。後部ダクト４３は、中間転写体３上部および定着器１４下部に別の空気流路も併せて形成し、中間転写体３の表面から飛散したトナーなどの塵埃が他に飛散するのを防ぐ第２の塵埃遮断手段である。
【０１２０】
本実施形態１においては、トナーが現像器６１，６２，６３，６４の内部や感光体ベルト２や中間転写体３上で溶融してしまったり、熱により感光体ベルト２，中間転写体３，その周辺装置が変形したりする不具合の発生を抑制し、それらの不具合が原因で発生する障害も抑えられる。
【０１２１】
【実施形態２】
図９は、本発明による露光装置を備えた実施形態２の構造を示す右側面図である。下ダクト５０１は、独立した部品５０７であってもよい。部品５０７の光学系コンテナ５０と接触する面に開口部を設けて、部品５０７と光学系コンテナ５０とを密着させて下ダクトを形成することもできる。
【０１２２】
【実施形態３】
図１０は、本発明による露光装置を備えた実施形態３の構造を示す正面図である。上ダクト５０２および下ダクト５０１の上流側に、吸気ファンを付けてもよい。この場合、吸気ファンの流量をＱｉｎとし、排気ファン５０５の流量をＱｏｕｔとすると、Ｑｉｎ＜Ｑｏｕｔとなるように、吸気ファンを選定する。
【０１２３】
上ダクト５０２および下ダクト５０１の少なくとも一方に個別に吸気ファンを付ける場合は、上ダクト５０２の吸気ファンと下ダクト５０１の吸気ファンとの合計流量をＱｉｎとする。
【０１２４】
上ダクト５０２側の吸気ファンおよび下ダクト５０１側の吸気ファンの流量を調整し、上ダクト５０２から排気ダクト５０３への流量と、下ダクト５０１から排気ダクト５０３への流量の割合を調整することも可能である。
【０１２５】
露光装置５の発熱量に応じて吸気ファンおよび排気ファン５０５の回転数を変更し、機外に排出する空気流量を調整してもよい。
【０１２６】
弁５０４は、モータにより駆動される調節弁または手動調節弁とすることもできる。モータにより駆動される場合、露光装置５の発熱量に応じて弁５０４の据え付け角度を変更する。
【０１２７】
露光装置５の発熱量は、サーミスタなどにより測定するか、スキャナモータの回転数やスキャナモータの稼働時間などから推定する。
【０１２８】
【実施形態４】
図１１は、本発明による露光装置を備えた実施形態４の構造を示す正面図である。排気ダクト５０３は、その入口部分が上下に別れていてもよい。この場合、上ダクト５０２との接合部の開口面積および下ダクト５０１との接合部の開口面積によって、上ダクト５０２から排気ダクト５０３への流量および下ダクト５０１から排気ダクト５０３への流量の割合を調整する。
【０１２９】
露光装置５の発熱量は、サーミスタなどにより測定するか、スキャナモータの回転数やスキャナモータの稼働時間などから推定する。
【０１３０】
【実施形態５】
図１２は、本発明によるフロントパネルを備えた実施形態５の構造を示す右側面図である。
【０１３１】
フロントパネル４０の装置内側の部分には、露光装置５付近にも孔を開け、露光装置５の周囲の熱を吸気ダクト４０１，ダクト４１１，ダクト４２１を通し、排気ファン１８により機外に排出してもよい。
【０１３２】
ただし、露光装置５から吸気ダクト４０１を経由して現像器６４上部に流入する熱によって、現像器６１，６２，６３，６４内のトナーが溶融しないように、空気流量を調整する。
【０１３３】
【実施形態６】
図１３は、本発明によるフロントパネルを備えた実施形態６の構造を示す右側面図である。
【０１３４】
フロントパネル４０の装置内側の部分には、現像器６１，６２，６３，６４各々の間の付近に孔を開け、現像器６１，６２，６３，６４各々の間に空気を流すようにすることも可能である。
【０１３５】
【実施形態７】
図１４は、本発明によるフロントパネルを備えた実施形態７の構造を示す右側面図である。
【０１３６】
フロントパネル４０の装置内側の部分には、現像器６１，６２，６３，６４の付近に孔を開けて、現像器６１，６２，６３，６４に空気を流すようにしてもよい。
【０１３７】
【発明の効果】
本発明によれば、露光装置，現像器，定着器などからの熱を効率良く機外に排出し、用紙に定着する前のトナーの溶融，露光装置のレンズやミラーの熱膨張による画像ひずみ，装置の熱暴走などが無い小型で高速の画像形成装置を実現できる。
【図面の簡単な説明】
【図１】本発明による画像形成装置の実施形態１の内部構造を示す右側面図である。
【図２】実施形態１の内部構造を示す正面図である。
【図３】実施形態１の空気流路を示す平面図である。
【図４】実施形態１における露光装置の内部構造を示す斜視図である。
【図５】実施形態１におけるフロントパネルの構造を示す斜視図である。
【図６】実施形態１における感光体ベルトカバーの構造を示す斜視図である。
【図７】実施形態１におけるクリーナカバーの構造を示す斜視図である。
【図８】実施形態１における後部ダクトの構造を示す斜視図である。
【図９】本発明による露光装置を備えた実施形態２の構造を示す右側面図である。
【図１０】本発明による露光装置を備えた実施形態３の構造を示す正面図である。
【図１１】本発明による露光装置を備えた実施形態４の構造を示す正面図である。
【図１２】本発明によるフロントパネルを備えた実施形態５の構造を示す右側面図である。
【図１３】本発明によるフロントパネルを備えた実施形態６の構造を示す右側面図である。
【図１４】本発明によるフロントパネルを備えた実施形態７の構造を示す右側面図である。
【図１５】従来の画像形成装置の内部構造を示す右側面図である。
【図１６】従来の画像形成装置の空気流路を示す平面図である。
【図１７】従来の露光装置の内部構造を示す斜視図である。
【符号の説明】
１  カラーレーザプリンタ
２  感光体ベルト
３  中間転写体
４  帯電器
５  露光装置
７  クリーナ
８  ブレード
９  イレーズランプ
１０  給紙カセット
１１  給紙ローラ
１２  レジストローラ
１３  転写ローラ
１４  定着器
１６  用紙
１７  排紙ガイド
１８  排気ファン
１９  駆動ユニット
２０  電源ユニット
２１Ｒ  本体フレームＲ
２１Ｌ  本体フレームＬ
２１Ｃ  本体フレームＣ
４０  フロントパネル
４１  感光体ベルトカバー
４２  クリーナカバー
４３  後部ダクト
５０  光学系コンテナ
５１  光源
５２  ポリゴンミラー
５３  スキャナモータ
５４  スキャナ基板
５５  モータ制御ＩＣ
５６  放熱フィン
５７  ｆθレンズ
５８  ミラー
５９  上ふた
６１  シアン色の現像器
６２  マゼンタ色の現像器
６３  イエロー色の現像器
６４  ブラック色の現像器
４００  軸
４０１  吸気ダクト
４１１  ダクト
４１２  取っ手
４２１  ダクト
５０１  下ダクト
５０２  上ダクト
５０３  排気ダクト
５０４  弁
５０５  排気ファン
５０６  排気口
５０７  下ダクト
５０８  吸気口
５１０  排紙トレイ
【図１】
2004361792.tif 000003
【図２】
2004361792.tif 000004
【図３】
2004361792.tif 000005
【図４】
2004361792.tif 000006
【図５】
2004361792.tif 000007
【図６】
2004361792.tif 000008
【図７】
2004361792.tif 000009
【図８】
2004361792.tif 000010
【図９】
2004361792.tif 000011
【図１０】
2004361792.tif 000012
【図１１】
2004361792.tif 000013
【図１２】
2004361792.tif 000014
【図１３】
2004361792.tif 000015
【図１４】
2004361792.tif 000016
【図１５】
2004361792.tif 000017
【図１６】
2004361792.tif 000018
【図１７】
2004361792.tif 000019